(57)【要約】  【課題】フレキシブル管等の管材と、その管材の接続に用いるパッキン等のパッケージ技術に関し、添付するパッキンが割れたりしないような技術を提供すること。  【解決手段】本発明にかかる添付パッキンの保持方法の請求項１においては、前記パッキンを、管材の端部に添えた状態で収縮性フィルムによって保持することを特徴としている。なお、収縮フィルムとしては、熱収縮フィルムもしくは弾性による収縮フィルムを使用することが可能である。また、前記収縮性フィルムは、熱収縮性フィルム（いわゆるシュリンクフィルム）としてもよい。また、前記収縮性フィルムには、情報を担持させるとよい。また、担持させる情報としては、磁気情報等のように光学的には検知できないものでもよい。また、バーコードや文字等のように光学的に検知できるものでもよい。【選択図】      図１
2005069291.tif 000002
【特許請求の範囲】
【請求項１】
管材に接続用のパッキンを添付する方法において、
前記パッキンを、管材の端部に添えた状態で収縮性フィルムによって保持することを特徴とする添付パッキンの保持方法。
【請求項２】
前記収縮性フィルムは、熱収縮性フィルムとしたことを特徴とする請求項１に記載の添付パッキンの保持方法。
【請求項３】
前記収縮性フィルムには、情報を担持させることを特徴とする請求項１または２のいずれかに記載の添付パッキンの保持方法。
【請求項４】
前記情報は、視認可能な文字情報を含ませたことを特徴とする請求項３に記載の添付パッキンの保持方法。
【発明の詳細な説明】
【技術分野】
【０００１】
本発明は、フレキシブル管等の管材と、その管材の接続に用いるパッキン等のパッケージ技術に関するものである。
【背景技術】
【０００２】
従来より、フレキシブル管を他の配管に接続するためには、袋ナットが用いられることが多い。即ち、図２に示したように、フレキシブル管100の管端には鍔部110を形成し、この鍔部110を係止し得る小径部を備えた袋ナット200を、接続相手側の配管（図示せず）と螺合することによって接続するのである。
このとき、接続部分の水漏れ等を防止するためには、パッキン300が必要である。
このように、水密状態での接続に必要なパッキンは、フレキシブル管とセットして準備されていることが好ましい。
そこで、必要なパッキン300は、図３に示したように、結束用の紐材400でフレキシブル管100に結束して販売等されている。又は、フレキシブル管100をポリ袋に入れ、その中にパッキン300を同梱して販売している場合もある。
【発明の開示】
【発明が解決しようとする課題】
【０００３】
ところが、上述したようにパッキンをフレキシブル管に結束する方法では、結束されたパッキンが押しつぶされたりして割れる場合があった。
また、パッキンが露出しているので汚れやすいという問題や、結束用の紐類がほどけてパッキンが脱落するおそれもある。
また、プラスチック製のダミーの栓によってパッキンを保持する方法も可能であるが、それでは、コストが高くなるという問題や組み付け作業が面倒になるという問題がある。
【０００４】
そこで、本発明は、フレキシブル管等の管材に添付するパッキンが割れたりしないような技術を提供することを目的としてなされたものである。
【課題を解決するための手段】
【０００５】
本発明にかかる添付パッキンの保持方法の請求項１においては、
前記パッキンを、管材の端部に添えた状態で収縮性フィルムによって保持することを特徴としている。
なお、収縮フィルムとしては、熱収縮フィルムもしくは弾性による収縮フィルムを使用することが可能である。
請求項２においては、
前記収縮性フィルムは、熱収縮性フィルム（いわゆるシュリンクフィルム）としたことを特徴としている。
請求項３においては、
前記収縮性フィルムには、情報を担持させることを特徴としている。
なお、担持させる情報としては、磁気情報等のように光学的には検知できないものでもよい。また、バーコードや文字等のように光学的に検知できるものでもよい。
請求項４においては、
情報は、視認可能な文字情報を含ませたことを特徴としている。
なお、視認可能な情報としては、文字でも図形でもよく、品番等の識別文字、価格、商標、広告等を表示することができる。
【発明の効果】
【０００６】
本発明にかかる添付パッキンの保持方法においては、
前記パッキンを、管材の端部に添えた状態で収縮性フィルムによって保持したので、パッキンは管材の端部に保護され、破損しにくい。特に、袋ナット等のナット類の内側に保持することによって確実に保護することができる。
請求項２の発明では、
前記収縮性フィルムは、熱収縮性フィルムとしたので、前記パッキンを、管材の端部に添えた状態で、未収縮状態の収縮性フィルムを被せてから、加熱・収縮させることによって、パッキンを破損しにくい状態で保持する作業が簡単にできる。
請求項３の発明では、
前記収縮性フィルムには情報を担持させるので、広告情報、磁気情報、バーコード、品番等の識別情報、価格、商標等を商品とともに伝達できる。
【発明を実施するための最良の形態】
【０００７】
以下に、本発明にかかる添付パッキンの保持方法の最良の形態としては、パッキンを収縮フィルムで、管材の端部に添えて保持することである。
【実施例１】
【０００８】
図１は、本発明の添付パッキンの保持方法の実施例１の斜視図である。
図１において、フレキシブル管１の端部には鍔部11が形成されている。そして、この鍔部11を係止し得る小径部を備えた袋ナット２が予め通してある。
この袋ナット２の内面には図示しない接続相手側の配管と螺合するための内ネジが形成されている。
３はパッキンであり、このパッキン３は、前記フレキシブル管１の鍔部11に平行に添わせた状態で、シュリンクフィルム４によって保持されている。
前記シュリンクフィルム４は、加熱することによって収縮する特性を持った熱収縮性フィルムであり、例えばポリエチレンフィルムを用いる。
このようにして、フレキシブル管１の端部に、袋ナット２と、ナットの内部に収納されたパッキン３とが、収縮した熱収縮性フィルムによってまとめられた状態で保持されている。
【０００９】
次に、シュリンクフィルムによるパッキンの添付方法を説明する。
まず、前記パッキン３を前記フレキシブル管１の鍔部11に平行に添わせる。このとき、他方の袋ナット接続用のパッキンを含めて２枚のパッキンをセットする。
次に、袋ナット２を鍔部11に被せてセットする。この状態では、前記パッキン３は袋ナット２の内部に格納された状態となる。
そして、加熱する前の未収縮状態の筒状のシュリンクフィルム４を、前記袋ナット２の外側に被せて加熱する。
その後、シュリンクフィルム４を加熱すると、シュリンクフィルムは加熱によって収縮する。このとき、筒状のシュリンクフィルム４の中央部分は袋ナット２の大きさまで収縮するが、両端部はさらに小径まで収縮する。従って、シュリンクフィルム４の内部には、袋ナット２が保持され、袋ナット２の内部にはパッキン３が保持される。
このとき、シュリンクフィルム４の端部側はパッキン３を閉じ込んだ状態で収縮し、他端側は袋ナット２のパッキンが挿入されている面の反対側の面の一部に応じた形状に収縮するので、シュリンクフィルム４はフレキシブル管１に対して位置がずれないように係止されてがたつかない。
この状態では、パッキン３は袋ナット２で保護されるとともに、シュリンクフィルム４によって、フレキシブル管１の端部に保持される。
なお、図１においては、片側の袋ナット２のみを図示したが、他方の袋ナットも同時にシュリンクフィルム４で保持してもよい。パッキン３と、少なくともひとつの袋ナットとをシュリンクフィルムでまとめればよいのである。
【００１０】
他の配管と接続するときは、シュリンクフィルム４を破ってパッキン３を取り出して使用する。
このようにシュリンクフィルム４で一体的に保持するため、パッキン３は袋ナット２で保護されるので割れることを防止できる。
また、パッキン３はシュリンクフィルム４で覆われているので汚れることを防止できる。
さらに、シュリンクフィルム４は紐類のようにほどけることがないのでパッキンが脱落することを防止できる。
また、プラスチック製の栓によってパッキンを保持する方法に比べて安価にできる。
そして、紐類で保持する方法や、プラスチック製の栓によってパッキンを保持する方法に比べて組み付け作業が機械化しやすいという効果も得られる。
以上のような理由によって、本発明の方法によれば、コストが安価にできるとともに、シュリンクフィルムに、メーカ名や販売店名等の宣伝広告情報を印字表示できるという効果も得られる。
【産業上の利用可能性】
【００１１】
収縮フィルムには、メーカ名や販売店名等の宣伝広告情報を視認可能な状態で表示するのみではなく、バーコードや磁気データ等を担持させることも可能であるので、高度な商品管理にも有益である。
【図面の簡単な説明】
【００１２】
【図１】本発明にかかる添付パッキンの保持方法の実施例の説明図である。
【図２】管材の接続部の説明図である。
【図３】従来例の添付パッキンの保持方法の説明図である。
【符号の説明】
【００１３】
１    フレキシブル管
11    鍔部
２    袋ナット
３    パッキン
４    シュリンクフィルム
【図１】
2005069291.tif 000003
【図２】
2005069291.tif 000004
【図３】
2005069291.tif 000005